(57)【要約】  本発明は、ベローズなどが結合された円筒形容器に練歯磨剤などの高粘度物質を収容し、ベローズの圧縮による空気圧を利用して内容物を排出させる空気ポンプ式作動具及びそれを有する容器に関する。容器は、空気ポンプ式作動具、管形胴体及びピストンを含んでいる。作動具はベローズであって、一端部が開放され、他端部が閉鎖されており、他端部は一部が突出されて内部空間を有する押圧部として設けられ、押圧部には空気流入口が設けられている。管形胴体は、内部に粘性物質が収容され、開放された一端部がベローズの開放された一端部に結合され、他端部は中央が突出された漏斗形であり、その中央には排出口が突出して設けられている。ベローズと管形胴体とは螺合されている。ピストンは、管形胴体の他端部の内面に密着するように対応する形状を有して設けられている。ベローズの押圧部の内部には一方向開放型の逆止め弁が設けられている。このように構成された本発明によれば、容器内部の高粘度物質が容易に且つ残らずきれいに排出されることができ、これにより、経済的損失を減らし、使用上の利便性を追求でき、単純に構成されて生産費用を節減できる。
2011512306.tif 000002
【特許請求の範囲】
【請求項１】
内部に粘性物質が収容され、排出口（２２）を有する管形胴体（２０）と、前記管形胴体（２０）の内部に設けられ、前記粘性物質を加圧して前記排出口（２２）から排出させるためのピストン（４０）と、を含む容器における、前記ピストン（４０）を加圧するための空気ポンプ式作動具であって、
一端部が前記管形胴体（２０）に結合され、弾性によって形態復元可能な中空形胴体を有し、前記胴体が空気流入口（１６、１８、６２）を有し、前記胴体を密閉した状態で加圧する場合、前記胴体の内部容積を維持しながら空気圧力によって前記ピストン（４０）を移動し、前記空気流入口（１６、１８、６２）を通して空気が流入するようにしながら前記胴体に加えた力を解除する場合、前記胴体の形態が復元されることを特徴とする、空気ポンプ式作動具。
【請求項２】
前記作動具は、中空形の伸縮可能な胴体を有し、前記胴体の他端部に前記空気流入口（１６、１８）を有する押圧部（１２）を有し、前記押圧部（１２）を加圧する場合に前記胴体を縮小し、前記押圧部（１２）に加えた力を解除する場合に前記空気流入口（１６、１８）を通して空気が流入して前記胴体を復元する、ベローズ（１０）であることを特徴とする、請求項１に記載の空気ポンプ式作動具。
【請求項３】
前記空気流入口（１８）は、ユーザーが前記ベローズ（１０）の胴体を押す場合に閉鎖されるように前記ベローズ（１０）の中心軸上にある前記押圧部（１２）の中央にあることを特徴とする、請求項２に記載の空気ポンプ式作動具。
【請求項４】
前記ベローズ（１０）の外部への空気流出を防止し、前記空気流入口（１６）を通した前記ベローズ（１０）の内部への空気流入を許容する一方向開放型の逆止め弁（３０）が前記押圧部（１２）の内部にあることを特徴とする、請求項２に記載の空気ポンプ式作動具。
【請求項５】
前記空気流入口（１６）は、ユーザーの前記押圧部（１２）への接触有無に関係なく常に開放状態を維持するように、前記ベローズ（１０）の中心軸に垂直な前記押圧部（１２）の円周面にあることを特徴とする、請求項４に記載の空気ポンプ式作動具。
【請求項６】
内部に粘性物質が収容され、一端部は開放され、他端部は中央が突出されて漏斗形をなし、前記他端部の中央には突出した排出口（２２）がある管形胴体（２０）と、
前記管形胴体（２０）の内部に設けられ、前記粘性物質を加圧して前記排出口（２２）から排出させるためのピストン（４０）と、
一端部が前記管形胴体の開放された一端部に同軸上で結合される中空形の伸縮可能な胴体を有し、前記胴体の他端部に空気流入口（１６、１８）を有する押圧部（１２）があり、前記押圧部（１２）を加圧する場合に前記胴体を縮小しながら密閉された内部容積を維持して前記ピストン（４０）を空気圧力により移動し、前記押圧部（１２）に加えた力を解除する場合に前記空気流入口（１６、１８）を通して空気が流入して前記胴体の形態を復元する空気ポンプ式ベローズ（１０）と、
を含む、容器。
【請求項７】
前記空気流入口（１８）は、ユーザーが前記押圧部（１２）を押す場合に閉鎖されるように前記ベローズ（１０）の中心軸上にある前記押圧部（１２）の中央にあることを特徴とする、請求項６に記載の容器。
【請求項８】
前記ベローズ（１０）の外部への空気流出を防止し、前記空気流入口（１６）を通した前記ベローズ（１０）の内部への空気流入を許容する一方向開放型の逆止め弁（３０）が前記押圧部（１２）の内部にあることを特徴とする、請求項６に記載の容器。
【請求項９】
前記空気流入口（１６）は、ユーザーの前記押圧部（１２）への接触有無に関係なく常に開放状態を維持するように前記ベローズ（１０）の中心軸に垂直な前記押圧部（１２）の円周面にあることを特徴とする、請求項８に記載の容器。
【請求項１０】
前記ベローズ（１０）の一端部の外周面にはねじ面（１４）があり、これに対応して前記管形胴体（２０）の一端部の内周面にはねじ面（２４）があり、前記ベローズ１０と前記管形胴体（２０）とは相互螺合されることを特徴とする、請求項６〜９のうち何れか一項に記載の容器。
【請求項１１】
前記管形胴体（２０）の一端部の円周面には空気流入口（２６）があることを特徴とする請求項６〜９のうち何れか一項に記載の容器。
【請求項１２】
前記ピストン（４０）は、前記管形胴体（２０）の他端部の内面に密着するように対応する形状であることを特徴とする、請求項６〜９のうち何れか一項に記載の容器。
【請求項１３】
前記ベローズ（１０）と前記管形胴体（２０）は、透明材質からなることを特徴とする請求項６〜９のうち何れか一項に記載の容器。
【請求項１４】
前記管形胴体（２０）の一端部に螺合される蓋（５０）を更に備えることを特徴とする、請求項６〜９のうち何れか一項に記載の容器。
【請求項１５】
前記管形胴体（２０）は、
前記管形胴体（２０）の外周面を取り囲むように装着される保護カバー（７０）と、
前記保護カバー（７０）に装着され、前記空気ポンプ式ベローズ（１０）を取り囲み、ユーザーが前記空気ポンプ式ベローズ（１０）の一部分を加圧できるように終端から斜めに切開された傾斜切開面（８１）が備えられた保護キャップ（８０）と、
を更に含むことを特徴とする、請求項６〜９のうち何れか一項に記載の容器。
【発明の詳細な説明】
【技術分野】
【０００１】
本発明は、ベローズなどが結合された円筒形容器に練歯磨剤などの高粘度物質を収容し、ベローズの圧縮による空気圧を利用して内容物を排出させる空気ポンプ式作動具及びそれを有する容器に関する。
【背景技術】
【０００２】
一般に、練歯磨剤容器や化粧品容器などのような製品は、軟質のプラスチックなどが用いられて薄いチューブ状に長く成形され、その内部に内容物が充填されている。
【０００３】
添付図面のうち図１０は、従来技術による練歯磨剤容器を示している。
【０００４】
図１０を参照すれば、従来技術による練歯磨剤容器は、練歯磨剤が充填されている本体２と、本体２と一体である排出口４を含んでいる。そして、別途の蓋が備えられて排出口４に結合され得る。本体２の一端は圧着により閉鎖されており、本体２の他端は内部から内容物を排出するために設けられる排出口４として漏斗形態を有している。このような練歯磨剤容器を使用する際は、ユーザーが本体２を押してこそ排出口４を通して内容物が排出される。
【０００５】
ところが、従来の練歯磨剤容器を使用する場合は、容器の特性上、非常に少量の内容物が残った際にユーザーが本体２を折り曲げて大きな力で押して内容物を排出させるか、ハサミなどで本体２を切ったりして内容物を収集しなければならなかった。しかし、このような過程を経ても内容物が完全に排出されないため浪費を招き、ユーザーにとって不便で手間がかかるという問題点があった。
【０００６】
かかる問題を解消するためにポンプ容器も使用された。ポンプ容器は、内部の物質を排出できるように主にピストンが下端に結合され、中空管体形に構成された。
【０００７】
しかし、従来のポンプ容器の場合も、粘性の高い物質を排出するのは容易でなく、多数の部品で構成されることから容器自体の価格が高くなるという問題点があった。
【発明の概要】
【発明が解決しようとする課題】
【０００８】
本発明は、上記のような問題点を解決するために案出されたもので、その目的は、部品数を節減して価格が低廉で、粘性の高い物質を残さず容易に排出するための空気ポンプ式作動具及びそれを有する容器を提供することにある。
【課題を解決するための手段】
【０００９】
上記のような目的を達成するために、本発明による空気ポンプ式作動具は、内部に粘性物質が収容され、排出口を有する管形胴体と、管形胴体の内部に設けられ、粘性物質を加圧して排出口から排出させるためのピストンと、を含む容器におけるピストンを加圧するための空気ポンプ式作動具であって、一端部が管形胴体に結合され、弾性によって形態復元可能な中空形胴体を有し、胴体が空気流入口を有し、胴体を密閉した状態で加圧する場合、胴体の内部容積を維持しながら空気圧力によってピストンを移動し、空気流入口を通して空気が流入するようにしながら胴体に加えた力を解除する場合、胴体の形態が復元されることを特徴とする。
【００１０】
望ましくは、作動具は、中空形の伸縮可能な胴体を有し、胴体の他端部に空気流入口を有する押圧部を有し、押圧部を加圧する場合に胴体を縮小し、押圧部に加えた力を解除する場合に空気流入口を通して空気が流入して胴体を復元する、ベローズである。
【００１１】
一方、本発明による容器は、内部に粘性物質が収容され、一端部は開放され、他端部は中央が突出されて漏斗形をなし、他端部の中央には突出した排出口がある管形胴体と、管形胴体の内部に設けられ、粘性物質を加圧して排出口から排出させるためのピストンと、一端部が管形胴体の開放された一端部に同軸上で結合される中空形の伸縮可能な胴体を有し、胴体の他端部に空気流入口を有する押圧部があり、押圧部を加圧する場合に胴体の密閉された内部容積を維持してピストンを空気圧力により移動し、押圧部に加えた力を解除する場合に空気流入口を通して空気が流入して胴体の形態を復元する空気ポンプ式ベローズと、を含む。
【００１２】
本発明において、空気流入口は、ユーザーが押圧部を押す場合に閉鎖されるようにベローズの中心軸上にある押圧部の中央にあるか、ユーザーの押圧部への接触有無に関係なく常に開放状態を維持するようにベローズの中心軸に垂直な押圧部の円周面にあることができる。
【００１３】
望ましくは、作動具の空気流入口を通して作動具の内部へ空気を流入させる一方向開放型の逆止め弁が作動具の内部にある。
【００１４】
望ましくは、作動具の一端部の外周面にはねじ面があり、これに対応して管形胴体の一端部の内周面にはねじ面があり、作動具と管形胴体とは相互螺合される。
【００１５】
望ましくは、管形胴体の一端部の円周面には空気流入口がある。
【００１６】
望ましくは、ピストンは、管形胴体の他端部の内面に密着するように対応する形状である。
【００１７】
望ましくは、作動具及び管形胴体は透明材質からなり得る。
【００１８】
望ましくは、管形胴体の一端部に螺合される蓋を更に備える。
【００１９】
望ましくは、管形胴体は、管形胴体の外周面を取り囲むように装着される保護カバーと、保護カバーに装着され空気ポンプ式ベローズを取り囲み、ユーザーが空気ポンプ式ベローズの一部分を加圧できるように終端から斜めに切開された傾斜切開面が備えられた保護キャップと、を更に含む。
【発明の効果】
【００２０】
このように構成された本発明によれば、粘性の高い物質が残らずきれいに排出されやすくすることにより、経済的損失を減少でき、使用上の利便性が高まり、単純に構成されて容器の価格が低廉になり得る。
【００２１】
また、本発明によれば、マヨネーズ、唐辛子酢味噌、ケチャップ、水飴、ワサビ、蜂蜜、ジャムのような食料品用の容器として適用されることができ、管形胴体だけを付替用製品として提供することもできる。
【図面の簡単な説明】
【００２２】
【図１】本発明の第１実施例による空気ポンプ式作動具を有する容器の斜視図である。
【図２】図１の分解斜視図である。
【図３】本発明の一実施例による容器の断面図である。
【図４】図３の作動状態を示した断面図である。
【図５】本発明の第２実施例による空気ポンプ式作動具を有する容器の断面図である。
【図６】図５の作動状態を示した断面図である。
【図７】本発明の第３実施例による空気ポンプ式作動具を有する容器の断面図である。
【図８】本発明に適用される付替用管形胴体の断面図である。
【図９】本発明の第４実施例による空気ポンプ式作動具を有する容器の断面図である。
【図１０】従来技術による練歯磨剤容器の斜視図である。
【発明を実施するための形態】
【００２３】
以下、添付図面を参照しながら本発明による望ましい実施例について詳しく説明する。
【００２４】
添付図面のうち図１〜図３は、本発明の第１実施例による空気ポンプ式作動具を有する容器を示している。
【００２５】
図１及び図２を参照すれば、容器は、ベローズ１０と管形胴体２０とが結合されてなる。ベローズ１０は、下端部が開放されており、下端部の外周面にはねじ面１４が設けられ、閉鎖された上端部には押圧部１２が設けられる。押圧部１２は、ベローズ１２の上端部が一部突出されて内部空間を有するように形成されており、押圧部１２の側面には空気流入口１６がある。また、押圧部１２の内部には空気流入口１６を通してベローズ１０の内部へ空気を流入させるように一方向開放型の逆止め弁３０が設けられている。
【００２６】
管形胴体２０は、開放された上端部にねじ面２４が設けられていてベローズ１０の下端部に螺合され、内部には粘性物質を収容する。管形胴体２０に収容される物質は、練歯磨剤、化粧品、マヨネーズ、唐辛子酢味噌、ケチャップ、水飴、わさび、蜂蜜、ジャムなど多様である。管形胴体２０の下端部は中央が下方に向かって突出されて漏斗形をなし、下端部の中央に排出口２２が突出して設けられている。管形胴体２０の内部にはピストン４０が設けられている。ピストン４０は、空気圧力により移動されて粘性物質を加圧するように設けられ、管形胴体２０の下端部の内面に密着するように対応する形状で設けられている。
【００２７】
また、図示されていないが、管形胴体２０の下端部の排出口２２には別途の蓋が結合され得る。
【００２８】
一方、ユーザーが内容物の残量を容易に確認できるように、ベローズ１０と管形胴体２０を両方とも、又は、どちらか一つのみ透明な材質で構成することができる。
【００２９】
図４は、本発明の第１実施例による容器の作動状態を示している。
【００３０】
図４を参照すれば、ユーザーがベローズ１０の押圧部１２を押した状態であって、管形胴体２０の内容物が一部排出されている。即ち、図３のベローズ１０の状態から図４のようにベローズ１０を加圧すると、密閉空間であるベローズ１０の内部容積はそのまま維持されるため、ベローズ１０の長さが減った分ピストン４０が空気圧力によって移動される。これにより、管形胴体２０の内容物が排出口２２を通して排出されるのである。
【００３１】
以後、ベローズ１０に加えた力を解除すると、図４のベローズ１０の状態から再び図３のベローズ１０の状態に戻る。この時、空気流入口１６と一方向の逆止め弁３０を通してベローズ１０の内部に空気が流入するため、ベローズ１０は内部容積が大きくなりながら形態復元され、ピストン４０は位置変化なく維持される。ここで、空気流入口１６はユーザーが押圧部１２に接触し続けていても常に開放状態を維持できることから、ベローズ１０が円滑に復元される。
【００３２】
このようにユーザーがベローズ１０の押圧部１２を押す動作を反復することにより、管形胴体２０内部の内容物が持続的に排出されることができる。また、ピストン４０は管形胴体２０の下端部の内面に対応する形状で設けられ、管形胴体２０内部の内容物を完全に押し出すことができる。
【００３３】
添付図面のうち図５及び図６は、本発明の第２実施例による空気ポンプ式作動具を有する容器を示している。
【００３４】
図５を参照すれば、本発明の第２実施例による容器は、図１〜図３に示した容器とほぼ類似の構造を有し、逆止め弁を備えておらず部品数が減少した。
【００３５】
ベローズ１０の下端部と管形胴体２０の上端部とが相互螺合されている。
【００３６】
ベローズ１０の閉鎖された上端部には押圧部１２が設けられているが、ベローズ１０の同軸上にある押圧部１２の上部中央には空気流入口１８が設けられている。
【００３７】
管形胴体２０の下端部の中央には排出口２２が突出して設けられており、内部にはピストン４０が設けられている。
【００３８】
一方、図５及び図６を参照しながら本発明の第２実施例による容器の作動状態を考察する。
【００３９】
図６のように、ユーザーが空気流入口１８を塞いだ状態でベローズ１０の押圧部１２を加圧すると、ベローズ１０の内部は密閉空間となる。この時、ベローズ１０の内部容積はそのまま維持されて、ベローズ１０の長さが減った分ピストン４０が空気圧力によって移動される。そうして、管形胴体２０の内容物が排出口２２を通して排出される。
【００４０】
以後、ユーザーが空気流入口１８を塞いだ手を放してベローズ１０に加えた力を解除すると、空気流入口１８を通してベローズ１０の内部へ空気が供給されることにより、図５のようにベローズ１０は形態が復元される。
【００４１】
一方、図７は、本発明の第３実施例による空気ポンプ式作動具を有する容器を示している。
【００４２】
図７を参照すれば、本発明の第３実施例による空気ポンプ式作動具は、ゴム袋６０であって、ゴム袋６０の下端部と管形胴体２０の上端部とが相互螺合されており、ゴム袋６０の閉鎖された上部中央には空気流入口６２が設けられている。また、図示されていないが、ゴム袋６０は管形胴体２０の上端部の外周に嵌められる形態で設けられることができる。
【００４３】
一方、図８は、本発明に適用される付替用の管形胴体を示している。
【００４４】
本発明による容器の場合は、内容物を使いきった時、内容物が一杯に充填された別途の管形胴体２０をベローズ１０又はゴム袋６０に付替結合して使用することができる。
【００４５】
図８を参照すれば、このような付替用の管形胴体２０は、蓋５０を備え、個別製品として設けられることができる。即ち、管形胴体２０の内部に内容物を充填した後、管形胴体２０の上端部に蓋５０を螺合すればよい。この時、管形胴体２０の上端部の円周面には空気流入口２６が設けられていることにより、蓋５０が管形胴体２０に結合される時、管形胴体２０内部の空気が抜け出て円滑に結合されることができる。また、蓋５０は、管形胴体２０に螺合されて管形胴体２０の空気流入口２６を密閉できる。図示されていないが、管形胴体２０の下端部の排出口２２が別途の蓋によって密閉されるのは勿論のことである。
【００４６】
このような付替用の管形胴体２０をベローズ１０又はゴム袋６０に結合して使用しようとする場合は、先ず管形胴体２０の蓋５０のつまみ５２を把持して蓋５０を回しながら取り外した後、管形胴体２０の上端部にピストン４０を入れ、ベローズ１０又はゴム袋６０の下端部に管形胴体２０の上端部を螺合して使用すればよい。
【００４７】
一方、図９は、本発明の第４実施例による空気ポンプ式作動具を有する容器を示している。
【００４８】
図９を参照すれば、本発明の望ましい第４実施例である空気ポンプ式作動具を有する容器は、管形胴体２０に保護カバー７０及び保護キャップ８０が追加装着される。
【００４９】
保護カバー７０は、管形胴体２０の外周面に対応する内周面を有する形状からなり管形胴体２０を取り囲み、管形胴体２０を外部から保護する役割を果たす。ユーザーは、管形胴体２０内部に詰められた内容物が全て使い果たされた場合、管形胴体２０だけを新しいものに付替えて使用する。
【００５０】
保護キャップ８０は、保護カバー７０の上端部に螺合される。保護キャップ８０は、空気ポンプ式ベローズ１０を取り囲む構造からなり、上端部の終端から斜めに切開された傾斜切開面８１が形成される。傾斜切開面８１を通して空気ポンプ式ベローズ１０の外周面の一部が外部に露出され、ユーザーが露出された部分を加圧して使用するのである。即ち、平常時には保護キャップ８０が空気ポンプ式ベローズ１０を保護することにより、管形胴体２０内部に詰められた内容物が任意の衝撃などによって漏洩するのを防止する。
【００５１】
以上説明したように、本発明による空気ポンプ式作動具を有する容器は、粘性の高い物質を残さずきれいに排出しやすいことから、経済的損失を減らし、ユーザーに利便性が高まるものである。
【００５２】
また、本発明による空気ポンプ式作動具を有する容器は、少数の部品で単純に構成されることから、容器自体の低価格化が実現できる。
【００５３】
一方、本発明による空気ポンプ式作動具を有する容器は、マヨネーズ、唐辛子酢味噌、ケチャップ、水飴、ワサビ、蜂蜜、ジャムのような食料品用の容器として適用されることができ、管形胴体だけを付替用製品として使用することもできる。
【００５４】
以上、本発明の望ましい実施例を説明したが、本発明の属する技術分野についての通常の知識を有する者が本発明の技術的思想を逸脱しない範囲内で変更及び変形したものも本発明の権利範囲に属するのは当然のことである。
【図１】
2011512306.tif 000003
【図２】
2011512306.tif 000004
【図３】
2011512306.tif 000005
【図４】
2011512306.tif 000006
【図５】
2011512306.tif 000007
【図６】
2011512306.tif 000008
【図７】
2011512306.tif 000009
【図８】
2011512306.tif 000010
【図９】
2011512306.tif 000011
【図１０】
2011512306.tif 000012
【国際調査報告】
2011512306.tif 000013
2011512306.tif 000014
2011512306.tif 000015
2011512306.tif 000016